(57)【要約】【課題】汎用性がある筆記用具延長具を提供する。【解決手段】筆記用具延長具1は、軸状の延長部材１１を接続する長い筒状のホルダ部材１２と、このホルダ部材１２の一端部１２１を外嵌する短い筒状のソケット部材１３とを備えている。ホルダ部材１２は、一端部１２１で軸方向に形成された１本以上の先側のスリット１２１ｂと、他端部１２３で延長部材１１の基端部１１１を接続する連結部１２４とを備えている。延長部材の基端部１１１には、雌ネジ１１１ａが形成される。ホルダ部材１２の連結部１２４は、延長部材１１の雌ネジ１１１ａに螺合する雄ネジ１２４ａを備えている。【選択図】図１
2019199037.tif 000002
【特許請求の範囲】
【請求項１】
軸状の延長部材を接続する長い筒状のホルダ部材と、当該ホルダ部材の一端部を外嵌する短い筒状のソケット部材とを備え、
前記ホルダ部材は、一端部で軸方向に形成された１本以上の先側のスリットと、他端部で前記延長部材の基端部を接続する連結部とを備えている、
筆記用具延長具。
【請求項２】
前記ホルダ部材は、一端部に形成された雄ネジを備え、
前記ソケット部材は、前記ホルダ部材の前記雄ネジと螺合する雌ネジを備えている、
請求項１に記載の筆記用具延長具。
【請求項３】
前記延長部材の基端部には、雌ネジが形成され、
前記ホルダ部材の連結部は、前記延長部材の雌ネジに螺合する雄ネジを備えている、
請求項１又は２に記載の筆記用具延長具。
【請求項４】
前記ホルダ部材の一端部の雄ネジは、前記ホルダ部材の連結部の雄ネジよりも長いピッチで形成されている、
請求項３に記載の筆記用具延長具。
【請求項５】
前記延長部材の基端部には、雌型部が形成され、
前記ホルダ部材の連結部は、前記延長部材の雌型部に嵌入される雄型部を備えている、
請求項１又は２に記載の筆記用具延長具。
【請求項６】
前記ホルダ部材の雌型部は、軸方向に形成された１本以上の連結側のスリットと、外向きに突出した突起とを備えている、
請求項５に記載の筆記用具延長具。
【請求項７】
前記延長部材の雌型部には、１個以上の小孔が形成され、
前記ホルダ部材の雄型部は、前記延長部材の小孔に連続するように形成されたネジ孔を備え、
前記延長部材の小孔から挿入され、前記ホルダ部材の雄型部のネジ孔に螺合するネジを備えている、
請求項５又は６に記載の筆記用具延長具。
【請求項８】
前記ソケット部材に被さるキャップ部材を備えている、
請求項１乃至７のうちいずれか一項に記載の筆記用具延長具。
【請求項９】
前記ホルダ部材及び前記ソケット部材は、真鍮によって成形されている、
請求項１乃至８のうちいずれか一項に記載の筆記用具延長具。
【請求項１０】
前記ソケット部材は、平滑面とされ、１か所以上の刻印を形成している、
請求項１乃至９のうちいずれか一項に記載の筆記用具延長具。
【発明の詳細な説明】
【技術分野】
【０００１】
本発明は、筆記用具に取り付けて使用する筆記用具延長具に関する。
【背景技術】
【０００２】
従来より、短くなった鉛筆などの筆記具を持ちやすくするための筆記用具延長具が種々提供されている。例えば、特許文献１には、有底筒状の軸筒と、筒状のキャップ（本願では「ソケット部材」）とを備えた鉛筆の延長軸（本願では「筆記用具延長具」）が記載されている。
【０００３】
この筆記用具延長具の軸筒は、本体部と先端部とを同軸に一体化したものである。本体部は、鉛筆の外径よりもわずかに大きな内径で、短くなった鉛筆を長くした状態とするための部位である。先端部は、鉛筆の削られていない側の端部が挿し込まれる部位である。先端部には、複数本の切込み（本願では先側のスリット）が長さ方向に入れられ、わずかに縮径できるようにされている。先端部付近には、雄ネジが形成されている。
【０００４】
筆記用具延長具のソケット部材は、軸筒の先端部を外嵌する短い筒状の部材である。ソケット部材の内面には、軸筒の雄ネジに螺合する雌ネジが形成されている。ソケット部材は、軸筒の先端部を外嵌する。ソケット部材の雌ネジが緩く軸筒の雄ネジに螺合すると、軸筒の先端部が本体部と同径の通常径となる。ソケット部材の雌ネジが軸筒の雄ネジを締めるように螺合すると、軸筒の先側のスリットの幅が狭くなり、鉛筆の一端部を掴む状態となる。
【０００５】
短くなった鉛筆が所望の長さで軸筒の先端部から突出した状態において、ソケット部材が軸筒の雄ネジを締めるように螺合すると、軸筒の先端部が鉛筆を掴み、鉛筆が軸筒内で移動できなくなる。このようにして、短くなった鉛筆は、筆記用具延長具によって、長くなった状態となって持ちやすくなる。なお、ソケット部材の外面にローレットを施し、手指が滑りにくいようにした筆記用具延長具も提供されている。
【先行技術文献】
【特許文献】
【０００６】
【特許文献１】登録実用新案第３０１０４４４号公報
【発明の概要】
【発明が解決しようとする課題】
【０００７】
特許文献１に記載された筆記用具延長具は、軸筒が本体部と先端部とを一体化したものとなっている。したがって、この筆記用具延長具は、例えば、異なる模様が施された軸筒を使用したい場合に、ソケット部材を兼用することができるにもかかわらず、新たな筆記用具延長具を購入することになる。したがって、この筆記用具延長具は、汎用性に欠けているといえる。
【０００８】
本発明は、汎用性がある筆記用具延長具を提供することを目的とする。
【課題を解決するための手段】
【０００９】
本発明に係る筆記用具延長具は、
軸状の延長部材を接続する長い筒状のホルダ部材と、当該ホルダ部材の一端部を外嵌する短い筒状のソケット部材とを備え、
前記ホルダ部材は、一端部で軸方向に形成された１本以上の先側のスリットと、他端部で前記延長部材の基端部を接続する連結部とを備えている。
【００１０】
前記本発明に係る筆記用具延長具において、
前記ホルダ部材は、一端部に形成された雄ネジを備え、
前記ソケット部材は、前記ホルダ部材の前記雄ネジと螺合する雌ネジを備えている。
【００１１】
前記本発明に係る筆記用具延長具において、
前記延長部材の基端部には、雌ネジが形成され、
前記ホルダ部材の連結部は、前記延長部材の雌ネジに螺合する雄ネジを備えている。
この場合、
前記ホルダ部材の一端部の雄ネジは、前記ホルダ部材の連結部の雄ネジよりも長いピッチで形成されている。
【００１２】
前記本発明に係る筆記用具延長具において、
前記延長部材の基端部には、雌型部が形成され、
前記ホルダ部材の連結部は、前記延長部材の雌型部に嵌入される雄型部を備えている。
この場合、
前記ホルダ部材の雌型部は、軸方向に形成された１本以上の連結側のスリットと、外向きに突出した突起とを備えている。
この場合、
前記延長部材の雌型部には、１個以上の小孔が形成され、
前記ホルダ部材の雄型部は、前記延長部材の小孔に連続するように形成されたネジ孔を備え、
前記延長部材の小孔から挿入され、前記ホルダ部材の雄型部のネジ孔に螺合するネジを備えている。
【００１３】
前記本発明に係る筆記用具延長具において、
前記ソケット部材に被さるキャップ部材を備えている。
前記本発明に係る筆記用具延長具において、
前記ホルダ部材及び前記ソケット部材は、真鍮によって成形されている。
前記本発明に係る筆記用具延長具において、
前記ソケット部材は、平滑面とされ、１か所以上の刻印を形成している。
【発明の効果】
【００１４】
本発明によれば、汎用性がある筆記用具延長具を提供することができる。
【図面の簡単な説明】
【００１５】
【図１】本発明の筆記用具延長具の第１の実施形態を示し、（ａ）は筆記用具延長具とキャップと延長部材とを一体化した状態を示す正面図であり、（ｂ）はキャップを示す断面正面図であり、（ｃ）は筆記用具延長具のソケット部材を示す断面正面図であり、（ｄ）は筆記用具延長具のホルダ部材を示す断面正面図であり、（ｅ）は延長部材を示す断面正面図であり、（ｆ）は筆記用具延長具に筆記用具を取り付けた状態を示す正面図である。
【図２】本発明の筆記用具延長具の第２の実施形態を示し、（ａ）は筆記用具延長具に筆記用具を取り付けた状態を示す正面図であり、（ｂ）は筆記用具延長具のソケット部材を示す断面正面図であり、（ｃ）は筆記用具延長具のホルダ部材を示す正面図であり、（ｄ）は図２（ｃ）のＩＩ−ＩＩ線断面図である。
【図３】本発明の筆記用具延長具の第３の実施形態を示し、（ａ）は筆記用具延長具に筆記用具を取り付けた状態を示す正面図であり、（ｂ）は筆記用具延長具のホルダ部材を示す断面正面図であり、（ｃ）は筆記用具延長具のホルダを示す正面図であり、（ｄ）は図３（ｃ）のＩＩＩ−ＩＩＩ線断面図であり、（ｅ）は図３（ｄ）の円で囲った部分の拡大断面図である。
【発明を実施するための形態】
【００１６】
〔第１の実施形態〕
本発明の筆記用具延長具の第１の実施形態について図１を参照しながら説明する。図１（ａ）は筆記用具延長具とキャップと延長部材とを一体化した状態を示す正面図である。図１（ｂ）はキャップを示す断面正面図である。図１（ｃ）は筆記用具延長具のソケット部材を示す断面正面図である。図１（ｄ）は筆記用具延長具のホルダ部材を示す断面正面図である。図１（ｅ）は延長部材を示す断面正面図である。図１（ｆ）は筆記用具延長具に筆記用具を取り付けた状態を示す正面図である。
【００１７】
第１の実施形態の筆記用具延長具１は、鉛筆やボールペン、軸状の消しゴム、チョークなどの筆記用具Ｐが短くなったときに、長く延長した状態として使用できるようにするため、軸状の延長部材１１を接続する。この延長部材１１は、有底筒状で、基端部１１１が筆記用具延長具１に接続される。延長部材１１の基端部１１１は、筆記用具延長具１に被さるように装着され、内面に雌ネジ１１１ａが形成されている。
【００１８】
筆記用具延長具１は、長い筒状のホルダ部材１２と、短い筒状のソケット部材１３とを備えている。ホルダ部材１２の内径は、筆記用具Ｐの外径よりも若干、大きくされている。ホルダ部材１２及びソケット部材１３は、例えば、真鍮やポリカーボネートなどの強化樹脂、カーボン、グラスファイバ、その他の弾力性がある素材によって成形される。
【００１９】
ホルダ部材１２及びソケット部材１３が真鍮だけの素材や真鍮にクロームメッキを施した素材などによって成形されていることにより、容易に切削加工することができる。また、真鍮だけの素材で形成されたホルダ部材１２及びソケット部材１３は、使い込むほど独特の色合いが醸し出されたり、手入れすることで、初期の輝きを取り戻したりすることができる。また、真鍮にクロームメッキを施した素材によって形成されたホルダ部材及びソケット部材１３は、初期の輝きを維持することができる。あるいは、ホルダ部材１２及びソケット部材１３が樹脂成形されることにより、コストダウンを図ったり、３Ｄプリンタで成形したりすることができる。
【００２０】
ソケット部材１３は、ホルダ部材１２の一端（先端）部１２１から中間部１２２までを全長で外嵌する。ソケット部材１３の一端（先端）部１３１から中間部１３２までの内面には、雌ネジ１３１ａが形成されている。ソケット部材１３の一端部１３１は、中間部１３２乃至後端部１３３よりも若干縮径した截頭円錐台形状とされている。このようなソケット部材１３には、着脱自在にキャップ部材１４が被さるように装着される。ソケット部材１３の外周面及びキャップ部材１４の内周面は、平滑面とされている。
【００２１】
ただし、平滑面のキャップ部材１４は、目視しないと、手指の位置関係を確認しにくい。すなわち、ユーザは、目視しないと、キャップ部材１４を書きやすい位置で掴みにくい。そこで、ソケット部材１３の外周面には、刻印１３４が彫られている。刻印１３４は、リング状で、ユーザが掴んだときに、書きやすい複数箇所（図１（ａ）では３か所）の位置に形成されている（図１（ｃ）には図示せず）。刻印１３４は、リング状のものに限らず、ロゴマーク（図示せず）のようなものであってもよい。刻印１３４は、リング状のものとロゴマークのようなものを両方形成してもよいし、片方のみ形成してもよい。
【００２２】
キャップ部材１４の内面には、板バネ部材（図示せず）が固定されている。板バネ部材は、軸方向に向けられた複数本の本体部と、この本体部の両端部を連結する環状の連結部とを備えている。この板バネ部材によって、ソケット部材１３の外周面が平滑面とされていても、キャップ部材１４が引っ張られない限り、ソケット部材１３から外れない。ただし、板バネ部材は、ソケット部材１３にスムーズに抜き挿しできるバネ力を有するようにされている。
【００２３】
ホルダ部材１２の一端部１２１の外面には、雄ネジ１２１ａが形成されている。ホルダ部材１２の雄ネジ１２１ａとソケット部材１３の雌ネジ１３１ａとが螺合する。ホルダ部材１２の雄ネジ１２１ａとソケット部材１３の雌ネジ１３１ａは、ほぼ同じ（完全に同じを含む。）長さとされている。ホルダ部材１２の一端部１２１には、１本以上（例えば４本）の先側のスリット１２１ｂが軸方向に形成されている。先側のスリット１２１ｂは、雄ネジ１２１ａよりも長く形成されている。
【００２４】
ホルダ部材１２の他端部１２３には、延長部材１１を接続する連結部１２４が備えられている。延長部材１１の基端部１１１に雌ネジ１１１ａが形成されていることから、ホルダ部材１２の連結部１２４には、延長部材１１の雌ネジ１１１ａと螺合する雄ネジ１２４ａが形成されている。ホルダ部材１２の連結部１２４に形成される雄ネジ１２４ａのピッチは、ホルダ部材１２の一端部１２１に形成される雄ネジ１２１ａのピッチよりも短くされている。換言すれば、ホルダ部材１２の一端部１２１に形成される雄ネジ１２１ａのピッチは、ホルダ部材１２の連結部１２４に形成される雄ネジ１２４ａのピッチよりも長くされている。
【００２５】
延長部材１１の外表面とキャップ部材１４の外表面には、デザイン上又は観念上の統一感を有している又は有していない図柄模様が施される。延長部材１１とキャップ部材１４は、種々の図柄模様が施されることで、豊富なラインアップを揃えることができる。ユーザは、種々の延長部材１１とキャップ部材１４の中から任意のものを選択することができる。すなわち、１個の筆記用具延長具１は、複数種類から選択された一組の延長部材１１とキャップ部材１４とを交換して装着することができる。
【００２６】
筆記用具延長具１は、ホルダ部材１２の連結部１２４の雄ネジ１２４ａに延長部材１１の基端部１１１の雌ネジ１１１ａが螺合し、ソケット部材１３にキャップ部材１４が被さっている状態で保管され、あるいは携行される。
【００２７】
ユーザは、キャップ部材１４をソケット部材１３から外し、短くなった筆記用具Ｐをホルダ部材１２の一端部１２１内に挿し込む。ただし、ソケット部材１３の雌ネジ１３１ａがホルダ部材１２の雄ネジ１２１ａを締めるように螺合していると、ホルダ部材１２の一端部１２１がホルダ部材１２の中間部１２２よりもやや縮径していて、筆記用具Ｐをホルダ部材１２の一端部１２１内に挿し込むことができない。
【００２８】
そこで、ユーザは、ソケット部材１３を反時計方向に回すことで螺合状態を緩め、ホルダ部材１２の先側のスリット１２１ｂが拡がり、一端部１２１が拡径できるようにする。ホルダ部材１２の一端部１２１が拡径できるようにすることで、筆記用具Ｐをホルダ部材１２の一端部１２１内に挿し込み、ホルダ部材１２から所望の長さで突出させることができる。
【００２９】
ソケット部材１３が反時計方向に回されて緩められるに際して、ホルダ部材１２の一端部１２１に形成された雄ネジ１２１ａのピッチがホルダ部材１２の連結部１２４に形成された雄ネジ１２４ａのピッチよりも長く生成されていることから、ホルダ部材１２の連結部１２４の雄ネジ１２４ａと延長部材１１の基端部１１１の雌ネジ１１１ａとの螺合状態が緩むことはない。したがって、ユーザが一方の手で延長部材１１を摘まみ、他方の手でソケット部材１３を摘まんで反時計方向に回すことで、ソケット部材１３をホルダ部材１２から緩めることができる。
【００３０】
筆記用具Ｐは、ホルダ部材１２の一端部１２１内に挿し込まれただけではホルダ部材１２に固定されていない。ユーザが一方の手で延長部材１１を摘まみ、他方の手でソケット部材１３を締めるように時計方向に回すと、ホルダ部材１２の一端部１２１の先側のスリット１２１ｂが細められるようになり、ホルダ部材１２の一端部１２１が筆記用具Ｐを掴む状態となる。筆記用具Ｐは、ホルダ部材１２の一端部１２１内で移動しないように固定される。
【００３１】
したがって、ユーザは、短くなった筆記用具Ｐをこの筆記用具延長具１によって長くして使用することができる。しかも、ユーザは、手指が刻印１３４に触れることで、書きやすい位置で掴むことができる。特に、筆記用具Ｐがボールペンであると、ボールペンの傾き角度によって、ボールがスムーズに回転したり、回転しなかったりする。したがって、ユーザは、ソケット部材１３を目視することなく、刻印１３４に触れるだけで、書きやすい位置でソケット部材１３を掴むことができる。書きやすく掴む位置は、ユーザによって異なる。刻印１３４が複数箇所に形成されていることにより、ユーザは書きやすい位置の刻印１３４を選ぶことができる。
【００３２】
筆記用具Ｐは、ソケット部材１３が反時計方向に回されることにより、ホルダ部材１２の一端部１２１から抜くことができる。ソケット部材１３が反時計方向に回されると、ホルダ部材１２の一端部１２１が緩む状態となり、筆記用具Ｐがホルダ部材１２内で移動できる。
【００３３】
ホルダ部材１２の連結部１２４には、模様や長さなどが異なる別の延長部材１１が交換される。ユーザは、ソケット部材１３をホルダ部材１２の被さっている一端部１２１から完全に抜き、あるいは、ホルダ部材１２の中間部１２２を露出させる。そして、ユーザは、ホルダ部材１２の一端部１２１又は中間部１２２を掴み、延長部材１１を反時計方向に回し、筆記用具延長具１をホルダ部材１２の他端部１２３の連結部から外す。
【００３４】
そして、ユーザは、新たな延長部材１１をホルダ部材１２の連結部１２４に装着する。すなわち、ユーザは、新たな延長部材１１の基端部１１１内にホルダ部材１２の連結部１２４を挿し込み、新たな延長部材１１の基端部１１１の雌ネジ１１１ａとホルダ部材１２の連結部１２４の雄ネジ１２４ａとを螺合する。このようにして新たな延長部材１１がホルダ部材１２と連結される。
【００３５】
〔第２の実施形態〕
本発明の筆記用具延長具の第２の実施形態について図２を参照しながら説明する。図２（ａ）は筆記用具延長具に筆記用具を取り付けた状態を示す正面図である。図２（ｂ）は筆記用具延長具のソケット部材を示す断面正面図である。図２（ｃ）は筆記用具延長具のホルダ部材を示す正面図である。図２（ｄ）は図２（ｃ）のＩＩ−ＩＩ線断面図である。
【００３６】
第２の実施形態の筆記用具延長具２は、第１の実施形態と同様、鉛筆や軸状の消しゴムなどの筆記用具Ｐが短くなったときに、長く延長した状態として使用できるようにするため、軸状の延長部材２１を接続する。この延長部材２１は、有底筒状（図２（ａ）において点線で図示）で、基端部２１１が筆記用具延長具２に接続される。延長部材２１の基端部２１１は、筆記用具延長具２に被さるように装着される。
【００３７】
ただし、第２の実施形態の延長部材２１の基端部２１１には、第１の実施形態のような雌ネジ１１１ａが形成されることなく、雌型部２１１ａが形成されている。延長部材２１の雌型部２１１ａの内面は、滑面又は粗面とされている。
【００３８】
筆記用具延長具２は、長い筒状のホルダ部材２２と、短い筒状のソケット部材２３とを備えている。ホルダ部材２２及びソケット部材２３は、例えば、真鍮やポリカーボネートなどの強化樹脂、カーボン、グラスファイバ、その他の弾力性がある素材によって成形される。
【００３９】
ソケット部材２３は、第１の実施形態と同様、ホルダ部材２２の一端（先端）２２１から中間部２２２までを全長で外嵌する。ソケット部材２３の一端（先端）部２３１から中間部２３２までの内面には、雌ネジ２３１ａが形成されている。ソケット部材２３の外周面は、滑面とされ、図２（ａ）に示すように、刻印２３４が形成されている。ソケット部材２３は、第１の実施形態と同様、キャップ部材（図示せず）が被せられる。
【００４０】
ホルダ部材２２の一端部２２１の外面には、雄ネジ２２１ａが形成されている。ホルダ部材２２の雄ネジ２２１ａとソケット部材２３の雌ネジ２３１ａとが螺合する。ホルダ部材２２の中間部２２２から他端部２２３には、延長部材２１を接続する連結部２２４を備えている。
【００４１】
ただし、この連結部２２４は、第１の実施形態のような雄ネジ１２４ａではなく、延長部材２１の雌型部２１１ａに嵌入される雄型部２２４ａとされている。ホルダ部材２２の雄型部２２４ａには、軸方向に１本又は複数本（図面では２本）の連結側のスリット２２４ｂが入れられ、先割れ（図面では二股）とされている。ホルダ部材２２の雄型部２２４ａの外面には、突起２２４ｃが設けられている。
【００４２】
このようなホルダ部材２２の連結部２２４の雄型部２２４ａは、延長部材２１の基端部２１１の雌型部２１１ａ内に挿入される。このホルダ部材２２の連結部２２４の雄型部２２４ａは、連結側のスリット２２４ｂによって若干縮径し、突起２２４ｃによって延長部材２１の雌型部２１１ａ内を押し付ける状態となる。したがって、ホルダ部材２２の連結部２２４の雄型部２２４ａは、延長部材２１の雌型部２１１ａ内から抜けにくくなる。なお、延長部材２１の雌型部２１１ａが粗面とされることにより、ホルダ部材２２の連結部がより外れにくいようなる。
【００４３】
ホルダ部材２２の一端部２２１には、キャップ部材が外され、ソケット部材２３が緩められた状態で、短くなった筆記用具Ｐが挿し込まれる。筆記用具Ｐがホルダ部材２２の一端部２２１から所望の長さで突出した状態において、ソケット部材２３が締められることにより、筆記用具Ｐがホルダ部材２２の一端部２２１内に固定されるといった使用態様は、第１の実施形態と同様である。
【００４４】
ホルダ部材２２の連結部２２４に装着された延長部材２１は、ホルダ部材２２と延長部材２１とを軸方向で反対方向に引っ張ることで、ホルダ部材２２から分離される。新たな延長部材２１の雌型部２１１ａ内にホルダ部材２２の連結部２２４が挿入されるだけで、新たな延長部材１１とホルダ部材２２とが連結される。すなわち、ホルダ部材２２の連結部２２４に装着された延長部材２１は、容易に交換することができる。
【００４５】
〔第３の実施形態〕
本発明の筆記用具延長具の第３の実施形態について図３を参照しながら説明する。図３（ａ）は筆記用具延長具に筆記用具を取り付けた状態を示す正面図である。図３（ｂ）は筆記用具延長具のホルダ部材を示す断面正面図である。図３（ｃ）は筆記用具延長具のホルダを示す正面図である。図３（ｄ）は図３（ｃ）のＩＩＩ−ＩＩＩ線断面図である。図３（ｅ）は図３（ｄ）の円で囲った部分の拡大断面図である。
【００４６】
第３の実施形態の筆記用具延長具３は、第１の実施形態と同様、鉛筆や軸状の消しゴムなどの筆記用具Ｐが短くなったときに、長く延長した状態として使用できるようにするため、軸状の延長部材３１を接続する。この延長部材３１は、有底筒状（図３（ａ）において点線で図示）で、基端部３１１が筆記用具延長具３に接続される。延長部材３１の基端部３１１は、筆記用具延長具３に被さるように装着される。
【００４７】
ただし、第３の実施形態の延長部材３１の基端部３１１には、第１の実施形態のような雌ネジ１１１ａが形成されることなく、雌型部３１１ａが形成されている。延長部材３１の雌型部３１１ａには、小孔（好ましくは皿孔）３１１ｂが１個以上経方向に形成されている。第３の実施形態の延長部材３１は、この小孔３１１ｂ挿通されるネジ３１２を備えている。ネジ３１２は、小孔３１１ｂが皿孔であると、頭部が突出しないように皿ネジが使用される。
【００４８】
筆記用具延長具３は、長い筒状のホルダ部材３２と、短い筒状のソケット部材３３とを備えている。ホルダ部材３２及びソケット部材３３は、例えば、真鍮やポリカーボネートなどの強化樹脂、カーボン、グラスファイバ、その他の弾力性がある素材によって成形される。
【００４９】
ソケット部材３３は、第１の実施形態と同様、ホルダ部材３２の一端（先端）部３３１から中間部までを全長で外嵌する。ソケット部材３３の一端（先端）部３３１から中間部３３２までの内面には、雌ネジ３３１ａが形成されている。ソケット部材３３の外周面は、滑面とされ、図３（ａ）に示すように、刻印３３４が形成されている。ソケット部材３３は、第１の実施形態と同様、キャップ部材（図示せず）が被せられる。
【００５０】
ホルダ部材３２の一端部３２１の外面には、雄ネジ３２１ａが形成されている。ホルダ部材３２の雄ネジ３２１ａとソケット部材３３の雌ネジ３３１ａとが螺合する。ホルダ部材３２の中間部３２２から他端部３２３には、延長部材３１を接続する連結部３２４を備えている。
【００５１】
ただし、この連結部３２４は、第１の実施形態のような雄ネジ１２４ａではなく、延長部材３１の雌型部３１１ａに嵌入される雄型部３２４ａとされている。ホルダ部材３２の雄型部３２４ａは、延長部材３１の小孔３１１ｂに連続するネジ孔３２４ｂを備えている。このネジ孔３２４ｂには、延長部材３１の小孔３１１ｂに挿通されるネジ３１２が螺合する。
【００５２】
このようなホルダ部材３２の連結部３２４の雄型部３２４ａは、延長部材３１の基端部３１１の雌型部３１１ａ内に挿入される。延長部材３１の小孔３１１ｂとホルダ部材３２の連結部３２４のネジ孔３２４ｂとが連通した状態において、ネジ３１２が延長部材３１の小孔３１１ｂに入れられ、ネジ孔３２４ｂと螺合することで、延長部材３１とホルダ部材３２とが連結される。
【００５３】
なお、図示しないが、延長部材３１の雌型部３１１ａ又はホルダ部材３２の雄型部３２４ａのいずれか一方に溝（図示せず）が形成され、他方に凸条又は突起（ともに図示せず）が形成され、溝と凸条又は突起とが係合することで、延長部材３１の小孔とホルダ部材３２のネジ孔３２４ｂとを位置合わせしやすくすることができる。
【００５４】
ホルダ部材３２の一端部３２１には、キャップ部材が外され、ソケット部材３３が緩められた状態で、短くなった筆記用具Ｐが挿し込まれる。筆記用具Ｐがホルダ部材３２の一端部３２１から所望の長さで突出した状態において、ソケット部材３３が締められることにより、筆記用具Ｐがホルダ部材３２の一端部３２１内に固定されるといった使用態様は、第１の実施形態と同様である。
【００５５】
ホルダ部材３２の連結部３２４にネジ３１２によって連結された延長部材３１は、ネジ３１２が緩められることで、ホルダ部材３２の連結部３２４から分離される。新たな延長部材３１がホルダ部材３２の連結部３２４と連結される。新たな延長部材３１とホルダ部材３２の連結部３２４とは、ネジ３１２によって分離しないようにされる。
【００５６】
〔他の実施形態〕
以上、本発明の筆記用具延長具１，２，３の第１乃至第３の実施形態について説明したが、本発明は、前記の実施形態に限定されるものではなく、本発明の課題を解決できる範囲での変更や改良は、本発明に含まれる。
【００５７】
例えば、第１乃至第３の実施形態における筆記用具延長具１，２，３は、ホルダ部材１２，２２，３２に雄ネジ１２１ａ，２２１ａ，３２１ａが形成され、ソケット部材１３，２３，３３に雌ネジ１３１ａ，２３１ａ，３３１ａが形成さるものとした。しかし、これらの雄ネジ１２１ａ，２２１ａ，３２１ａや雌ネジ１３１ａ，２３１ａ，３３１ａが形成されることなく、ホルダ部材１２，２２，３２がソケット部材１３，２３，３３内に圧入されたり、ホルダ部材１２，２２，３２とソケット部材１３，２３，３３とに嵌合部材を設けたりするようにして、ホルダ部材１２，２２，３２が筆記用具Ｐを掴むようにしてもよい。
【００５８】
第２の実施形態における筆記用具延長具２は、ホルダ部材２２が連結部２２４に連結側のスリット２２４ｂを備えた。第３の実施形態における筆記用具延長具３は、ホルダ部材３２がネジ３１２によって延長部材３１に固定された。筆記用具延長具は、ホルダ部材が連結側のスリットを備え、かつ、延長部材に固定するネジを備えてもよい。
【００５９】
いずれの実施形態の筆記用具延長具１，２，３もキャップ部材１４を備えた。しかし、筆記用具延長具１，２，３は、必ずしも備える必要はない。特にソケット部材１３，２３，３３が樹脂などによって成形され、模様を施すなどデザイン性が発揮されると、キャップ部材１４によってソケット部材１３，２３，３３を覆う必要はない。
【００６０】
いずれの実施形態の筆記用具延長具１，２，３における延長部材１１，２１，３１もキャップ部材１４も有底筒状とした。しかし、延長部材１１，２１，３１もキャップ部材１４も底部を有しない筒状としてもよい。
【００６１】
さらに、図１（ａ）、図２（ａ）、図３（ａ）の仮想線に示すように、筆記用具延長具１，２，３は、延長部材１１，２１，３１の先端部１１３，２１３，３１３を着脱自在としてもよい。そのため、延長部材１１，２１，３１の筒状の本体部（採番せず）と先端部１１３，２１３，３１３とは、別体とされ、ネジ式や嵌め込み式などによって、一体となったり、別体となったり着脱される。延長部材１１，２１，３１の先端部１１３，２１３，３１３が本体部と別体となったときに、延長部材１１，２１，３１は筒状となる。なお、先端部１１３，２１３，３１３は、中実の本体部で着脱されるようにしてもよい。
【００６２】
また、図１（ｆ）に示すように、筆記用具延長具１は、キャップ部材１４の先端部１４３も同様に着脱自在としてもよい。図示しないが、筆記用具延長具２，３のキャップ部材の端部も同様に着脱自在としてもよい。キャップ部材１４の先端部１４３が筒状の本体部と別体とされることにより、キャップ部材１４は筒体となる。
【００６３】
ソケット部材１３，２３，３３は、平滑面とされ、１か所以上の刻印１３４，２３４，３３４を形成しているものとした。しかし、ソケット部材１３，２３，３３は、１か所だけに形成してもよいし、あるいは刻印１３４，２３４，３３４を形成しないようにしてもよい。
【００６４】
〔まとめ〕
以上まとめると、本発明が適用される筆記用具延長具１，２，３は、
軸状の延長部材１１，２１，３１を接続する長い筒状のホルダ部材１２，２２，３２と、当該ホルダ部材１２，２２，３２の一端部１２１，２２１，３２１を外嵌する短い筒状のソケット部材１３，２３，３３とを備え、
前記ホルダ部材１２，２２，３２は、一端部１２１，２２１，３２１で軸方向に形成された１本以上の先側のスリット１２１ｂと、他端部１２３，２２３，３２３で前記延長部材１１，２１，３１の基端部１１１，２１１，３１１を接続する連結部１２４，２２４，３２４とを備えている。
【００６５】
この筆記用具延長具１，２，３は、ホルダ部材１２，２２，３２とソケット部材１３，２３，３３とを備え、ホルダ部材１２，２２，３２に延長部材１１，２１，３１が接続される。したがって、この筆記用具延長具１，２，３は、ホルダ部材１２，２２，３２と延長部材１１，２１，３１とが別体であることから、種々の延長部材１１，２１，３１を揃えておくことで、延長部材１１，２１，３１を交換して使用することができる。
【００６６】
前記本発明が適用される筆記用具延長具１，２，３において、
前記ホルダ部材１２，２２，３２は、一端部１２１，２２１，３２１に形成された雄ネジ１２１ａ，２２１ａ，３２１ａを備え、
前記ソケット部材１３，２３，３３は、前記ホルダ部材１２，２２，３２の前記雄ネジ１２１ａ，２２１ａ，３２１ａと螺合する雌ネジ１３１ａ，２３１ａ，３３１ａを備えている。
【００６７】
この筆記用具延長具１，２，３は、ホルダ部材１２，２２，３２の一端部１２１，２２１，３２１に形成された雄ネジ１２１ａ，２２１ａ，３２１ａがソケット部材１３，２３，３３の一端部１３１，２３１，３３１に形成された雌ネジ１３１ａ，２３１ａ，３３１ａと螺合することで、ホルダ部材１２，２２，３２が筆記用具Ｐを強固に締め付けるように固定する。
【００６８】
前記本発明が適用される筆記用具延長具１において、
前記延長部材１１の基端部１１１には、雌ネジ１１１ａが形成され、
前記ホルダ部材１２の連結部１２４は、前記延長部材１１の雌ネジ１１１ａに螺合する雄ネジ１２４ａを備えている。
【００６９】
前記本発明に係る筆記用具延長具１において、
前記ホルダ部材１２の一端部１２１の雄ネジ１２１ａは、前記ホルダ部材１２の連結部１２４の雄ネジ１２４ａよりも長いピッチで形成されている。
【００７０】
この筆記用具延長具１は、ホルダ部材１２の一端部１２１で筆記用具Ｐを着脱するに際して、螺合しているソケット部材１３を緩めたときに、ホルダ部材１２の他端部１２３の連結部１２４で螺合している延長部材１１が緩まないようにすることができる。
【００７１】
前記本発明が適用される筆記用具延長具２，３において、
前記延長部材２１，３１の基端部２１１，３１１には、雌型部２１１ａ，３１１ａが形成され、
前記ホルダ部材２２，３２の連結部２２４，３２４は、前記延長部材２１，３１の雌型部２１１ａ，３１１ａに嵌入される雄型部２２４ａ，３２４ａを備えている。
【００７２】
この筆記用具延長具２，３は、延長部材２１，３１の基端部２１１，３１１に形成された雌型部内にホルダ部材２２，３２の連結部２２４，３２４に備えられた雄型部２２４ａ，３２４ａが挿し込まれることで、容易に延長部材２１，３１を装着することができる。また、延長部材２１，３１は、ホルダ部材２２，３２の連結部２２４，３２４に備えられた雄型部２２４ａ，３２４ａから容易に外すことができる。
【００７３】
前記本発明に係る筆記用具延長具２において、
前記ホルダ部材２２の雄型部２２４ａは、軸方向に形成された１本以上の連結側のスリット２２４ｂと、外向きに突出した突起２２４ｃとを備えている。
【００７４】
この筆記用具延長具２は、ホルダ部材２２の雄型部２２４ａが連結側のスリット２２４ｂによって縮径することができ、延長部材２１の雌型部２１１ａに挿入されたときに、突起２２４ｃによって圧着することができる。
【００７５】
前記本発明に係る筆記用具延長具３において、
前記延長部材３１の雌型部３１１ａには、１個以上の小孔３１１ｂが形成され、
前記ホルダ部材３２の雄型部３２４ａは、前記延長部材３１の小孔３１１ｂに連続するように形成されたネジ孔３２４ｂを備え、
前記延長部材３１の小孔から挿入され、前記ホルダ部材３２の雄型部３２４ａのネジ孔３２４ｂに螺合するネジ３１２を備えている。
【００７６】
この筆記用具延長具３は、ホルダ部材３２が延長部材３１にネジ３１２によって固定され、ネジ３１２を緩めない限り、ホルダ部材の２と延長部材３１かとが分離しないようにナイル。
【００７７】
前記本発明が適用される筆記用具延長具１，２，３において、
前記ソケット部材１３，２３，３３に被さるキャップ部材１４を備えている。
【００７８】
この筆記用具延長具１，２，３は、キャップ部材１４を備えることにより、ソケット部材１３，２３，３３がキャップ部材１４によって覆われ、外観を良好にすることができる。
【００７９】
前記本発明が適用される筆記用具延長具１，２，３において、
前記ホルダ部材１２，２２，３２及び前記ソケット部材１３，２３，３３は、真鍮によって成形されている。
【００８０】
この筆記用具延長具１，２，３は、ホルダ部材１２，２２，３２及びソケット部材１３，２３，３３が真鍮によって成形されていることにより、容易に加工することができ、使い込むについて独特の色合いが醸し出されたり、手入れすることで、初期の輝きを取り戻したりすることができる。
【００８１】
前記本発明が適用される筆記用具延長具１，２，３において、
前記ソケット部材１３，２３，３３は、平滑面とされ、１か所以上の刻印１３４，２３４，３３４を形成している。
【００８２】
この筆記用具延長具１，２，３は、ソケット部材１３，２３，３３が平滑面とされることで、ユーザがソケット部材１３，２３，３３のどのあたりの部位を掴んでいるかを手触りで認識することができないものの、形成された刻印に指が触れることで、書きやすい位置で掴むことができる。
【符号の説明】
【００８３】
１・・・・・・筆記用具延長具
１１・・・・・延長部材
１１１・・・・（延長部材の）基端部
１１１ａ・・・（延長部材の）雌ネジ
１２・・・・・ホルダ部材
１２１・・・・（ホルダ部材の）一端部
１２１ａ・・・（ホルダ部材の）雄ネジ
１２１ｂ・・・先側のスリット
１２４・・・・連結部
１２４ａ・・・（連結部の）雄ネジ
１３・・・・・ソケット部材
１３１・・・・（ソケット部材の）一端部
１３１ａ・・・（ソケット部材の）雄ネジ
１３４・・・・刻印
１４・・・・・キャップ部材
２・・・・・・筆記用具延長具
２１・・・・・延長部材
２１１・・・・（延長部材の）基端部
２１１ａ・・・雌型部
２２・・・・・ホルダ部材
２２１・・・・（ホルダ部材の）一端部
２２１ａ・・・（ホルダ部材の）雄ネジ
２２４・・・・連結部
２２４ａ・・・雄型部
２２４ｂ・・・連結側のスリット
２２４ｃ・・・突起
２３・・・・・ソケット部材
２３１・・・・（ソケット部材の）一端部
２３１ａ・・・（ソケット部材の）雄ネジ
２３４・・・・刻印
３・・・・・・筆記用具延長具
３１・・・・・延長部材
３１１・・・・（延長部材の）基端部
３１１ａ・・・雌型部
３１１ｂ・・・小孔
３１２・・・・ネジ
３２・・・・・ホルダ部材
３２１・・・・（ホルダ部材の）一端部
３２１ａ・・・（ホルダ部材の）雄ネジ
３２４・・・・連結部
３２４ａ・・・雄型部
３２４ｂ・・・ネジ孔
３３・・・・・ソケット部材
３３１・・・・（ソケット部材の）一端部
３３１ａ・・・（ソケット部材の）雄ネジ
３３４・・・・刻印
【図１】
2019199037.tif 000003
【図２】
2019199037.tif 000004
【図３】
2019199037.tif 000005